(57)【要約】【課題】防火機能と免振機能を発揮することができる高層建物の防火・免振装置を提供すること。【解決手段】マンション（高層建物）１０の屋上に水タンク２を設置するとともに、該水タンク２の周囲に、災害発生時に前記水タンク２から供給される水の自重によって前記マンション（高層建物）１０の外壁に沿って垂れ下がる防火シート３を折り畳んだ状態で配置してマンション（高層建物）１０の防火・免振装置１を構成する。又、前記防火シート３に、その垂れ下がり方向に沿う複数の水通路７を幅方向に適当な間隔で形成する。更に、前記防火シート３の前記各水通路７に巻き上げロープ８それぞれ通す。【選択図】図１
2018123590.tif 000002
【特許請求の範囲】
【請求項１】
高層建物の屋上に水タンクを設置するとともに、該水タンクの周囲に、災害発生時に前記水タンクから供給される水の自重によって前記高層建物の外壁に沿って垂れ下がる防火シートを折り畳んだ状態で配置して構成されることを特徴とする高僧建物の防火・免振装置。
【請求項２】
前記防火シートに、その垂れ下がり方向に沿う複数の水通路を幅方向に適当な間隔で形成したことを特徴とする請求項１記載の高層建物の防火・免振装置。
【請求項３】
前記防火シートの前記各水通路に巻き上げロープをそれぞれ通したことを特徴とする請求項２記載の高層建物の防火・免振装置。
【発明の詳細な説明】
【技術分野】
【０００１】
本発明は、ビルやマンション等の高層建物に設置される防火・免振装置に関するものである。
【背景技術】
【０００２】
ビルやマンション等の高層建物の近隣で火災が発生した場合、当該高層建物の類焼を招いたり、当該高層建物の窓ガラスが高熱によって割れ、建物の内部に火炎や煙が進入して住人に被害を及ぼす可能性がある。
【０００３】
又、大きな地震が発生した場合には、高層建物が大きく揺れて耐震強度以上の大きな負荷が当該高層建物に掛かり、外壁の落下や窓ガラスの破損等の被害が発生することがある。
【０００４】
ところで、特許文献１には、建物の免振構造として、建物を下部構造体と上部構造体に区画し、両者の間に積層ゴムを介在させるとともに、水平方向の相対変位に伴って傾倒して該相対変位を増大させるコイルスプリング等の付勢手段と、相対振動を吸収するダンパーを設ける構成が提案されている。
【先行技術文献】
【特許文献】
【０００５】
【特許文献１】特開２００２−１３８７０５号公報
【発明の概要】
【発明が解決しようとする課題】
【０００６】
しかしながら、特許文献１において提案された免振構造を備える建物であっても、近隣の火災に伴う類焼や火炎と煙の進入に伴う住人への被害の問題を解決することは不可能である。
【０００７】
本発明は上記問題に鑑みてなされたもので、その目的とする処は、防火機能と免振機能を発揮することができる高層建物の防火・免振装置を提供することにある。
【課題を解決するための手段】
【０００８】
上記目的を達成するため、請求項１記載の発明は、高層建物の屋上に水タンクを設置するとともに、該水タンクの周囲に、災害発生時に前記水タンクから供給される水の自重によって前記高層建物の外壁に沿って垂れ下がる防火シートを折り畳んだ状態で配置して高層建物の防火・免振装置を構成したことを特徴とする。
【０００９】
請求項２記載の発明は、請求項１記載の発明において、前記防火シートに、その垂れ下がり方向に沿う複数の水通路を幅方向に適当な間隔で形成したことを特徴とする。
【００１０】
請求項３記載の発明は、請求項２記載の発明において、前記防火シートの前記各水通路に巻き上げロープをそれぞれ通したことを特徴とする。
【発明の効果】
【００１１】
請求項１記載の発明によれば、高層建物の近隣において火災が発生した場合や大きな地震が発生した場合には、高層建物の屋上に設置した水タンクから防火シートに水を供給すると、該防火シートが水の自重によって高層建物の外壁に沿って垂れ下がり、高層建物の外壁が防火シートによって覆われる。従って、高層建物の類焼が防火シートによって防がれるとともに、火災による高熱の高層建物への影響が防火シートによって遮断され、窓ガラスの破損が防がれて火炎や煙の高層建物内部への進入が阻止され、高層建物の住人に高熱や煙による被害が及ぶことがない。
【００１２】
又、屋上に設置した水タンクに貯留された水や防火シートを流れる水の揺動に伴う制振作用によって高層建物の振動が抑制される免振効果が得られるため、地震発生時の高層建物の振動が抑制されて地震に伴う該高層建物の被害が抑えられる。
【００１３】
請求項２記載の発明によれば、火災や地震等の災害が発生した場合には、防火シートに形成された複数の水通路を流れる水の自重によって当該防火シートを高層建物の外壁に沿ってスムーズ且つ迅速に垂れ下げて外壁の周囲を当該防火シートで覆うことができる。
【００１４】
請求項３記載の発明によれば、使用後の防火シートは、これに形成された複数の水通路にそれぞれ通された巻き上げロープを引っ張ることによって高層建物の屋上へと巻き上げて元の状態に戻すことができるため、該防火シートを次の災害の発生に備えて準備しておくことができる。
【図面の簡単な説明】
【００１５】
【図１】本発明に係る防火・免振装置を備えた高層建物の正面図である。
【図２】本発明に係る防火・免振装置を備えた高層建物の平面図である。
【図３】図２のＡ−Ａ線断面図である。
【図４】本発明に係る防火・免振装置の防火シートが水によって垂れ下がる様子を示す部分斜視図である。
【図５】図４のＢ−Ｂ線断面図である。
【図６】本発明に係る防火・免振装置を備えた高層建物において災害発生時に防火シートが垂れ下がった状態を示す正面図である。
【発明を実施するための形態】
【００１６】
以下に本発明の実施の形態を添付図面に基づいて説明する。
【００１７】
図１は本発明に係る防火・免振装置を備えた高層建物の正面図、図２は同高層建物の平面図、図３は図２のＡ−Ａ線断面図、図４は本発明に係る防火・免振装置の防火シートが水によって垂れ下がる様子を示す部分斜視図、図５は図４のＢ−Ｂ線断面図、図６は本発明に係る防火・免振装置を備えた高層建物において災害発生時に防火シートが垂れ下がった状態を示す正面図である。
【００１８】
図１には高層建物としてマンション１０を示すが、このマンション１０の屋上には本発明に係る防火・免振装置１が設置されている。この防火・免振装置１は、マンション１０の屋上に水タンク２を設置するとともに、該水タンク２の周囲に、災害発生時に水タンク２から供給される水の自重によってマンション１０の外壁に沿って垂れ下がる防火シート３を折り畳んだ状態で配置して構成されている。尚、水タンク２は、マンション１０の屋上にも設けられた土台４の上に設置されている。
【００１９】
上記水タンク２は、図２に示すように、マンション１０の屋上において外壁の内側に沿って配置された平面視矩形リング状を成すものであって、その断面形状は矩形とされ（図１参照）、金属又は樹脂によって成形されている。又、この水タンク２内には水が貯留されており、その周囲には、パイプ５が水タンク２の外周に沿って平面視矩形状を成して配置されており（図２〜図４参照）、このパイプ５と水タンク２の内部とは細い複数のパイプ６によって相連通している。尚、図示しないが、各パイプ６には電動式の開閉弁（電磁弁）がそれそれ設けられており、火災や地震等の災害が発生していない図１に示す状態では、各開閉弁は閉じられており、水タンク２からパイプ５への水の供給は遮断されている。
【００２０】
前記防火シート３は、耐火性の高い素材によって構成された可撓性のものであって、水タンク２の外側に該水タンク２の外周に沿って配置されており、その縦方向の長さは、マンション１０の高さに略等しく設定されている。そして、この防火シート３は、災害が発生していない図１に示す状態では、折り畳まれた状態でマンション１０の屋上に配置されている。
【００２１】
ここで、防火シート３は、図５に示すように、２枚のシート３ａ，３ｂを貼り付けて構成されており、該防火シート３には、その垂れ下がり方向（垂れた状態で上下方向）に沿う断面円形の複数の水通路７が幅方向に適当な間隔（３ｍ〜１０ｍ間隔）で形成されている。そして、この防火シート３の基端部は、図３及び図４に示すように、太い前記パイプ５に取り付けられており、該防火シート３に形成された水通路７は、パイプ５に形成された円孔５ａ（図４参照）を介してパイプ５の内部に連通している。又、図５に示すように、防火シート３に形成された各水通路７には巻き上げロープ８がそれぞれ通されており、各巻き上げロープ８の一端部（基端部）は、パイプ５を貫通して該パイプ５の外部へと延び、他端部（先端部）は、防火シート３の先端部（垂れ下がったときの下端部）に取り付けられている。尚、図５に示すように、前記巻き上げロープ８とは別に引き下げロープ９を設け、この巻き下げロープ９の一端を防火シート３の端部（マンション１０の外壁に沿って垂れ下がる場合の下端）に取り付けられている。
【００２２】
而して、図１に示す状態において地震が発生した場合（火災は発生していない）には、マンション１０の屋上に設置された防火・免振装置の水タンク２に貯留された水の揺動に伴う制振作用によってマンション１０の振動が抑制される免振効果が得られるため、マンション１０の振動が抑制されて地震に伴う該マンション１０の被害が抑えられる。
【００２３】
そして、マンション１０の近隣において火災が発生した場合には、マンション１０の屋上に設置した水タンク２から防火シート３に水を供給する。即ち、各パイプ６にそれぞれ設けられた不図示の開閉弁を同時に開くと、図４に破線矢印にて示すように、水タンク２に貯留されている水が各パイプ６から太いパイプ５へと流れ、更にこの太いパイプ５から防火シート３の各水通路７へと水が流れる。すると、マンション１０の屋上において折り畳まれていた防火シート３が各水通路７を流れる水の自重によって展開しながら図６に示すようにマンション１０の外壁に沿って落下してスムーズ且つ迅速に垂れ下がり、マンション１０の外壁の周囲が防火シート３によって覆われる。尚、防火シート３が水通路７を流れる水の自重によってスムーズに展開して垂れ下がらない場合には、引き下げロープ９（図５参照）を地上から引っ張れば、防火シート３が作業者によって強制的に垂れ下げられる。
【００２４】
従って、マンション１０の類焼が防火シート３によって防がれるとともに、火災による高熱のマンション１０への影響が防火シート３によって遮断され、窓ガラスの破損が防がれて火炎や煙のマンション１０の内部への進入が阻止され、マンション１０の住人に高熱や煙による被害が及ぶことがない。尚、防火シート３の複数の水通路７を流れる水を消火用水として火災の消火に供することもできる。
【００２５】
又、火災発生と同時に地震が発生した場合であっても、防火シート３の複数の水通路７を流れる水の揺動に伴う制振作用によってマンション１０の振動が抑制される免振効果が得られるため、マンション１０の振動が抑制されて地震に伴う該マンション１０の被害が抑えられる。
【００２６】
そして、本実施の形態では、使用後の防火シート３は、これに形成された複数の水通路７にそれぞれ通された巻き上げロープ８を引っ張ることによってマンション１０の屋上へと巻き上げて図１に示すように元の状態に戻すことができるため、該防火シート３を次の災害の発生に備えて準備しておくことができる。
【００２７】
尚、以上は本発明に係る防火・免振装置をマンションに設置した例について説明したが、本発明に係る防火・免振装置は、ビル等の他の高層建物に設置することができることは勿論である。
【符号の説明】
【００２８】
１        防火・免振装置
２        水タンク
３        防火シート
４        土台
５，６    パイプ
５ａ      パイプの円孔
７        水通路
８        巻き上げロープ
９        引き下げロープ
１０      マンション（高層建物）
【図１】
2018123590.tif 000003
【図２】
2018123590.tif 000004
【図３】
2018123590.tif 000005
【図４】
2018123590.tif 000006
【図５】
2018123590.tif 000007
【図６】
2018123590.tif 000008